(57)【特許請求の範囲】
【請求項１】
テープカートリッジを装着するためのカートリッジ装着部と、
ヒンジ部を中心に回動して前記カートリッジ装着部を開閉する開閉蓋と、
前記開閉蓋が開放側に回動されて所定の回動位置を越えた位置まで回動した状態では、前記開閉蓋を開放方向に回動付勢し、前記開閉蓋が閉塞側に回動されて前記所定の回動位置を越えた位置まで回動した状態では、前記開閉蓋を閉塞方向に回動付勢する蓋付勢部と、
開放ボタンを有すると共に、前記開放ボタンを押下する力により、前記開閉蓋を前記所定の回動位置を越えた位置まで開放側に回動させる蓋開放動作部と、を備えたことを特徴とするテープ印刷装置。
【請求項２】
前記開閉蓋を閉塞状態でロックする蓋ロック部を、更に備えたことを特徴とする請求項１に記載のテープ印刷装置。
【請求項３】
前記蓋ロック部は、前記開放ボタンを押下する力により、前記開閉蓋のロック解除を行うことを特徴とする請求項２に記載のテープ印刷装置。
【請求項４】
前記蓋開放動作部は、
前記開放ボタンと、
回転軸により回転自在に支持される共に前記開放ボタンが当接し、前記開放ボタンを押下する力を、前記開閉蓋を開放方向に押圧する力に変換する梃子部材と、を有することを特徴とする請求項１ないし３のいずれか一項に記載のテープ印刷装置。
【発明の詳細な説明】
【技術分野】
【０００１】
本発明は、テープカートリッジを装着するカートリッジ装着部と、カートリッジ装着部を開閉する開閉蓋と、を備えたテープ印刷装置に関するものである。
【背景技術】
【０００２】
従来、この種のテープ印刷装置として、テープカートリッジを装着するためのカートリッジ装着部と、ヒンジ部を中心に回動してカートリッジ装着部を開閉する開閉蓋と、開閉蓋に設けられたリブ状突起と、リブ状突起に係合すると共に、ヒンジ部と平行な軸を中心に回動自在に構成された係合レバーと、係合レバーを係合方向に付勢する押えばねとを備えたものが知られている（特許文献１参照）。このテープ印刷装置では、開閉蓋を閉塞していき所定の閉塞側回動位置を越えた状態では、押えばねが、係合レバーおよびリブ状突起を介して開閉蓋を閉塞方向に付勢し、開閉蓋を開放していき所定の閉塞側回動位置を越えた状態では、押えばねが、係合レバーおよびリブ状突起を介して開閉蓋を開放方向に付勢する。
【先行技術文献】
【特許文献】
【０００３】
【特許文献１】特開２００３−２３７１７７号公報
【発明の概要】
【発明が解決しようとする課題】
【０００４】
上記従来のテープ印刷装置では、所定の閉塞側回動位置を越えるまで開放すると、開閉蓋が開放方向に付勢されるため、開閉蓋を開放側に跳ね上げさせることができる。一方、上記所定の閉塞側回動位置を越えるまで閉塞すると、開閉蓋が閉塞方向に付勢されるため、開閉蓋を閉塞状態に維持することができる。さらに、閉塞状態の開閉蓋が閉塞方向に付勢されることで、閉塞状態の開閉蓋がガタつくことを防止することができる。例えば、開閉蓋上に機能ボタン等の操作部を設けた場合に、操作部の操作に伴って開閉蓋がガタつくことがない。
しかしながら、上記従来のテープ印刷装置では、閉塞状態の開閉蓋が閉塞方向に付勢されているため、閉塞状態の開閉蓋を開放するとき、開閉蓋を把持し、上記所定の閉塞側回動位置まで開閉蓋を持ち上げる必要がある。さらに言えば、閉塞状態の開閉蓋が閉塞方向に付勢されていることで、開閉蓋を持ち上げたとき、装置本体も一緒に持ち上がってしまうので、一方の手で装置本体を押えた状態で、他方の手で開閉蓋を持ち上げる必要がある。このように、上記従来のテープ印刷装置では、開閉蓋の開放が煩雑であるという問題があった。
【０００５】
本発明は、所定の回動位置を越えて開放した状態では、開閉蓋が開放付勢され、所定の回動位置を越えて閉塞した状態では、開閉蓋が閉塞付勢されるテープ印刷装置において、簡単に開閉蓋を開放することができるテープ印刷装置を提供することを課題としている。
【課題を解決するための手段】
【０００６】
本発明のテープ印刷装置は、テープカートリッジを装着するためのカートリッジ装着部と、ヒンジ部を中心に回動してカートリッジ装着部を開閉する開閉蓋と、開閉蓋が開放側に回動されて所定の回動位置を越えた位置まで回動した状態では、開閉蓋を開放方向に回動付勢し、開閉蓋が閉塞側に回動されて所定の回動位置を越えた位置まで回動した状態では、開閉蓋を閉塞方向に回動付勢する蓋付勢部と、開放ボタンを有すると共に、開放ボタンを押下する力により、開閉蓋を所定の回動位置を越えた位置まで開放側に回動させる蓋開放動作部と、を備えたことを特徴とする。
【０００７】
この構成によれば、開閉蓋が閉塞している状態で、開放ボタンが押下されると、蓋開放動作部が、この押下の力により、開閉蓋を上記所定の回動位置を越えて開放させる。このように、開放ボタンを押下する力により、開放付勢される位置まで開放させる構成であるため、ユーザーは、開放ボタンを押下するだけで、開閉蓋を開放することができる。すなわち、指一本で簡単に開閉蓋を開放することができる。これにより、テープ印刷装置のユーザビリティを向上させることができる。
【０００８】
この場合、開閉蓋を閉塞状態でロックする蓋ロック部を、更に備えることが好ましい。
【０００９】
この構成によれば、衝撃等によって、開閉蓋が開放されてしまうのを防止することができる。
【００１０】
また、蓋ロック部は、開放ボタンを押下する力により、開閉蓋のロック解除を行うことが好ましい。
【００１１】
この構成によれば、開放ボタンを押下する力により、ロック解除を行うことができるため、ユーザーは、開放ボタンを押下するだけで、ロック解除と、開閉蓋の開放とを行うことができる。よって、開閉蓋のロック解除に係る操作の煩わしさを感じさせることない。ゆえに、ユーザビリティを更に向上させることができる。なお、蓋ロック部のロック解除と、蓋開放動作部による開閉蓋の回動とが連動し、ロック解除後に、蓋開放動作部による開閉蓋の回動が行われることが好ましい。
【００１２】
一方、蓋開放動作部は、開放ボタンと、回転軸により回転自在に支持される共に開放ボタンが当接し、開放ボタンを押下する力を、開閉蓋を開放方向に押圧する力に変換する梃子部材と、を有することを特徴とする。
【００１３】
この構成によれば、蓋開放動作部を簡単な構成にすることができる。
【図面の簡単な説明】
【００１４】
【図１】本発明の一実施形態に係るテープ印刷装置を示した外観斜視図である。
【図２】テープ印刷装置を示した平面図である。
【図３】カートリッジ装着部廻りを示した平面図である。
【図４】開閉蓋の開閉構造に係る各部を示した側面図（ａ）および正面図（ｂ）である。
【図５】蓋付勢部廻りを示した側面図である。
【図６】開放ボタン廻りを示した背面視断面図である。
【図７】蓋ロック・押上部廻りを示した正面図である。
【図８】（ａ）は、梃子部材の斜視図であり、（ｂ）は、梃子部材廻りを示した側面視断面図である。
【図９】開閉蓋の閉塞動作を示した説明図である。
【図１０】開閉蓋の開放動作を示した説明図である。
【発明を実施するための形態】
【００１５】
以下、添付の図面を参照して、本発明の一実施形態に係るテープ印刷装置について説明する。このテープ印刷装置は、装着したテープカートリッジから印刷テープを繰出しつつ印刷を行い、印刷テープの印刷済み部分を切断して、ラベル（テープ片）を作成するものである。特に、本テープ印刷装置は、カートリッジ装着部に設けた開閉蓋のガタつきを防止しつつ、開閉蓋を簡単に開放することができる構成を有している。
【００１６】
図１および図２に示すように、テープ印刷装置１は、装置フレーム（図示省略）に取り付けられた装置ケース１１により外殻が形成され、装置ケース１１の前半部上面には、各種キーを備えたキーボード１２が配設されている。一方、装置ケース１１の後半部上面には、開閉蓋１３が広く設けられている。また、開閉蓋１３の前側には、開閉蓋１３に隣接して、開閉蓋１３を開放する開放ボタン１４が配設されている。
【００１７】
開閉蓋１３は、後側に設けたヒンジ部５０（図４参照）を介して、装置フレームに回動自在に取り付けられ、すなわち、開閉自在に取り付けられている。開閉蓋１３上には、覗き窓１７と、キーボード１２からの入力結果を表示するディスプレイ１８と、が左右に並んで配設されている。また、開閉蓋１３上の右前部分には、４個の機能ボタン１９ａから成るボタン群１９が配設されている。なお、詳細は後述するが、開閉蓋１３の内面（下面）には、開閉蓋１３の開閉構造に係るリブ状突起５１、被係止部５２および被押圧部５３が形成されている。
【００１８】
図２に示すように、開閉蓋１３の内側には、テープカートリッジＣを装着するためのカートリッジ装着部２０が窪入形成されており、テープカートリッジＣは、開閉蓋１３を開放した状態でカートリッジ装着部２０に着脱可能に装着される。すなわち、開閉蓋１３は、カートリッジ装着部２０の開口部分を開閉する。また、カートリッジ装着部２０に装着されたテープカートリッジＣは、上記覗き窓１７によって視認することができるようになっている。
【００１９】
一方、装置ケース１１の左側部には、カートリッジ装着部２０と外部とを連通するテープ排出口２１が形成されている。また、このテープ排出口２１に臨むように、印刷テープＴの印刷済み部分を切断するテープカッター２２が配設されている。
【００２０】
ここで図３を参照して、テープ印刷装置１におけるカートリッジ装着部２０廻りの構造について説明する。図３は、開閉蓋１３を開放した状態のカートリッジ装着部２０廻りを示した図である。図３（ａ）は、テープカートリッジＣを装着していない状態のカートリッジ装着部２０廻りを図示し、図３（ｂ）は、テープカートリッジＣを装着した状態のカートリッジ装着部２０廻りを図示している。
【００２１】
図３に示すように、テープ印刷装置１は、上記カートリッジ装着部２０と、カートリッジ装着部２０の右側に隣接して配設された蓋付勢部２６と、カートリッジ装着部２０の前側に隣接して配設された蓋ロック・押上部２７と、を有している。「蓋開放動作部」は、開放ボタン１４と、蓋ロック・押上部２７とにより構成されている。また、「蓋ロック部」は、蓋ロック・押上部２７により構成されている。詳細は後述するが、蓋付勢部２６は、開閉蓋１３のリブ状突起５１に係合して、開閉蓋１３を回動付勢する。また、蓋ロック・押上部２７は、被係止部５２を係止して、開閉蓋１３を閉塞状態でロックすると共に、被押圧部５３を押圧して、開閉蓋１３を押し上げる。なお、図３に示すように、蓋付勢部２６および蓋ロック・押上部２７は、装置ケース１１の内部に配設されている。そして、リブ状突起５１、被係止部５２および被押圧部５３は、装置ケース１１に設けられた各貫通開口１１ａから、蓋付勢部２６および蓋ロック・押上部２７に達する構成となっている。
【００２２】
図３（ａ）に示すように、カートリッジ装着部２０は、ヘッドカバー３１内にサーマルタイプの印刷ヘッド３２を内蔵したヘッドユニット３３と、印刷ヘッド３２に対峙するプラテン駆動軸３４と、後述のインクリボンＲを巻き取る巻取り駆動軸３５と、後述のテープリール４１の位置決め突起３６と、が配設されている。
【００２３】
これに対し、図３（ｂ）に示すように、テープカートリッジＣは、印刷テープＴを巻回したテープリール４１と、インクリボンＲを巻回したリボンリール４２と、インクリボンＲを巻き取るリボン巻取りリール４３と、印刷ヘッド３２に対峙するプラテンローラー４４と、これらを収容したカートリッジケース４５と、を有している。また、カートリッジケース４５には、ヘッドユニット３３を挿通するためのヘッド開口４６が上下に貫通形成されている。
【００２４】
テープカートリッジＣがカートリッジ装着部２０に装着されると、ヘッドカバー３１にヘッド開口４６が、位置決め突起３６にテープリール４１の中心孔が、プラテン駆動軸３４にプラテンローラー４４の中心孔が、巻取り駆動軸３５にリボン巻取りリール４３の中心孔がそれぞれ差し込まれる。印刷テープＴは、テープリール４１から繰り出される一方、インクリボンＲは、リボンリール４２から繰り出される。そして、印刷テープＴおよびインクリボンＲは、ヘッド開口４６の位置で重なって併走した後、印刷テープＴは、テープ排出口２１に繰り出され、インクリボンＲは、リボン巻取りリール４３に巻き取られる。また、印刷テープＴとインクリボンＲとが併走する部分では、プラテンローラー４４と印刷ヘッド３２とがこれらを挟み込むように臨んで、印刷を行う。この印刷による印刷テープＴの印刷済み部分が、テープ排出口２１に繰り出され、テープカッター２２により切断されることで、ラベルが作成される。
【００２５】
次に図４を参照して、開閉蓋１３の開閉構造について説明する。図４は、開閉蓋１３の開閉構造に係る開閉蓋１３、蓋付勢部２６、開放ボタン１４および蓋ロック・押上部２７を示した図である。なお、図４では、開閉蓋１３の覗き窓１７、ディスプレイ１８およびボタン群１９を省略し、開閉蓋１３を簡略化して図示している。
【００２６】
図４に示すように、開閉蓋１３は、ヒンジ部５０を介して装置フレームに対し回動自在に取り付けられており、すなわちヒンジ部５０を中心に上下方向に回動自在になっている。この回動によって、カートリッジ装着部２０を開閉する。また、開閉蓋１３は、その内面に形成された、板状のリブ状突起５１と、下向きフック状の被係止部５２と、下向き台状の被押圧部５３と、を有している。
【００２７】
リブ状突起５１は、開閉蓋１３の左右方向の略中央位置の、蓋付勢部２６に対向する位置に配設されていると共に、板状（リブ状）に形成されている。また、リブ状突起５１は、側面視直角三角形を有する胴部６１と、胴部６１の先端部（下端部）から突出した被当接部６２と、から構成されている。被当接部６２の先端は、円弧状に形成されている。
【００２８】
被係止部５２および被押圧部５３は、開閉蓋１３の先端部において、蓋ロック・押上部２７に対向するように配設されている。被係止部５２は、下向きのフック状に形成されており、被押圧部５３は、下端面５３ａを被押圧面とする下向きの台状に形成されている。なお、被押圧部５３は、図外の検出センサーによって開閉蓋１３の開閉を検出するための被検出部としても機能する。
【００２９】
蓋付勢部２６は、ヒンジ部５０と平行な軸を中心に回動自在に支持された係合レバー６６と、係合レバー６６を回動付勢する付勢ばね６７と、を有している。
【００３０】
係合レバー６６は、頂部を直角とする側面視略直角三角形に形成され、その頂部で装置フレームに回動自在に取り付けられている。また、係合レバー６６の一方の下角部（前側）は、僅かに突出して形成されていると共に、ばね掛け孔６６ａが形成されている。さらに、係合レバー６６の他方の下角部（後側）は、アール形状に面取りされており、このアール部位６６ｂでリブ状突起５１の被当接部６２に当接（接触）する。
【００３１】
付勢ばね６７は、一端が係合レバー６６のばね掛け孔６６ａに掛け止めされており、係合レバー６６の一方の下角部（前側）を後方に付勢している。これによって、係合レバー６６を図４（ａ）中逆時計回りに回動付勢している。なお、厳密には、付勢ばね６７の他端は、印刷ヘッド３２をプラテンローラー４４側に回動（押圧）させるヘッド回動アーム（図示省略）の尾端に固定されており、ヘッド回動アームの尾端に引っ張られる形で、付勢ばね６７を介して、係合レバー６６の下角部が後方に付勢されている。
【００３２】
このような蓋付勢部２６は、開閉蓋１３が所定の閉塞側回動位置（所定の回動位置）を越えて閉塞された状態では、リブ状突起５１を介して開閉蓋１３を閉塞方向に回動付勢し、開閉蓋１３が所定の閉塞側回動位置を越えて開放された状態では、リブ状突起５１を介して開閉蓋１３を開放方向に回動付勢するようになっている。
【００３３】
具体的には、開閉蓋１３の回動に伴って、係合レバー６６が回動すると共に、リブ状突起５１の被当接部６２が係合レバー６６上を摺動することで、リブ状突起５１に対する係合レバー６６の当接方向が変化する。そして、図５（ａ）に示すように、開閉蓋１３が閉塞側に回動されていき、リブ状突起５１が係合レバー６６の角部を乗り越え、開閉蓋１３が所定の閉塞側回動位置を越えた位置まで回動した状態では、リブ状突起５１に対する係合レバー６６の当接方向が、当接位置からヒンジ部５０の軸心を向いた方向より下向きになる。これによって、当接方向にかかる付勢ばね６７の付勢力について、その分力が、開閉蓋１３を閉塞方向に付勢する付勢力として作用する。これにより、開閉蓋１３が所定の閉塞側回動位置を越えて閉塞された状態において、開閉蓋１３が閉塞方向に付勢される。すなわち、上記所定の閉塞側回動位置は、リブ状突起５１に対する係合レバー６６の当接方向と、当接位置からヒンジ部５０の軸心を向いた方向とが一致する回動位置である。
【００３４】
一方、図５（ｂ）に示すように、開閉蓋１３が開放側に回動されていき、リブ状突起５１が係合レバー６６の角部を乗り越え、開閉蓋１３が上記所定の閉塞側回動位置を越えた位置まで回動した状態では、リブ状突起５１に対する係合レバー６６の当接方向が、当接位置からヒンジ部５０の軸心を向いた方向より上向きになる。これによって、当接方向にかかる付勢ばね６７の付勢力について、その分力が、開閉蓋１３を開放方向に付勢する付勢力として作用する。これにより、開閉蓋１３が所定の閉塞側回動位置を越えて開放された状態において、開閉蓋１３が開放方向に付勢される。
【００３５】
図６は、開放ボタン１４廻りを示す背面視断面図である。図６に示すように、開放ボタン１４は、装置ケース１１の天壁６８に凹設されたボタン配設部６８ａに配設されている。また、開放ボタン１４は、被押下部となるボタン本体７１と、ボタン本体７１から下方に突設され且つ左右に形成された一対の抜止めフック７２と、ボタン本体７１から下方に突設され且つ中央右寄りに形成された当接突起７３と、を有している。
【００３６】
一方、ボタン配設部６８ａは、ボタン本体７１が進退動自在に遊嵌する遊嵌凹部７５と、遊嵌凹部７５の底部に形成され、各抜止めフック７２を挿通する一対の貫通孔（図示省略）と、遊嵌凹部７５の底部に形成され、当接突起７３を進退動自在に挿通する挿通ガイド部７６と、を有している。
【００３７】
開放ボタン１４は、ボタン本体７１の外周面が遊嵌凹部７５に、当接突起７３が挿通ガイド部７６にガイドされることで、ボタン配設部６８ａ（装置ケース１１）により上下方向に進退動自在に保持されている。また、開放ボタン１４は、ボタン本体７１の下面が遊嵌凹部７５の底壁に上側から当接することで、進退動の下端が規制され、一対の抜止めフック７２が遊嵌凹部７５の底壁に下側から当接することで、進退動の上端が規制されている。当接突起７３は、蓋ロック・押上部２７の梃子部材８１（後述する）に接触しており、開放ボタン１４が押されていない状態では、梃子部材８１からの付勢力によって、当接突起７３を介し、開放ボタン１４が進退動の上端まで押し上げられている。一方、ユーザーによって開放ボタン１４が押されると、当接突起７３が梃子部材８１を押圧し、梃子部材８１を回動させる。これによって、蓋ロック・押上部２７による開閉蓋１３のロック解除と、開閉蓋１３の押上げと、が行われる。
【００３８】
図７に示すように、蓋ロック・押上部２７は、回転軸９１により回転自在に取り付けられた梃子部材８１と、梃子部材８１を回動付勢する回動ばね８２と、を有している。梃子部材８１は、開放ボタン１４を押下する力を、開閉蓋１３を開放方向に押圧する力に変換する第１種梃子の構造を有している。
【００３９】
図８（ａ）に示すように、梃子部材８１は、回転自在に支持される回転軸９１と、回転軸９１の前後中間位置に固定された横倒し逆「Ｌ」字状のボタン受け部材９２と、回転軸９１の一端に固定された「Ｊ」字状のレバー部材９３と、を有している。図８（ｂ）に示すように、回転軸９１は、装置フレームの底壁から延びる一対の軸支部材９６によって、前後２箇所で軸支されると共に、装置ケース１１の上記遊嵌凹部７５から下向きに突出した一対の軸押えリブ９７によって、上側から押えられている。すなわち、回転軸９１は、一対の軸支部材９６と一対の軸押えリブ９７とによって、回転自在に保持されている。
【００４０】
図７および図８（ａ）に示すように、ボタン受け部材９２は、開放ボタン１４の当接突起７３が当接する突起受け部９２ａが形成されていると共に、ばね掛け部９２ｂが形成されている。一方、レバー部材９３は、頂部に形成されると共に被係止部５２を係止するフック状の係止部１１１と、先端に形成されると共に被押圧部５３を押圧する押圧部１１２と、を有している。
【００４１】
回動ばね８２は、一端をばね掛け部９２ｂに掛け止めされ、他端を上記軸支部材９６に掛け止めされている。これにより、回動ばね８２は、梃子部材８１を図７（ｂ）中の逆時計回りに回動付勢している。すなわち、回動ばね８２によって、ボタン受け部材９２が当接突起７３側に、係止部１１１が被係止部５２側に、押圧部１１２が被押圧部５３の逆側に付勢されている。
【００４２】
図７（ａ）に示すように、蓋ロック・押上部２７は、開閉蓋１３が閉塞状態であり且つ開放ボタン１４が押されていない状態では、回動ばね８２の回動付勢によって、梃子部材８１が逆時計回りに回転しており、係止部１１１が被係止部５２を係止し、押圧部１１２が被押圧部５３から離れた状態になっている。蓋ロック・押上部２７は、このように、係止部１１１で被係止部５２を係止することで、開閉蓋１３を閉塞状態でロックする。また、回動ばね８２の回動付勢によって、ボタン受け部材９２が当接突起７３を介して開放ボタン１４を進退動の上端まで押し上げている。
【００４３】
一方、図７（ｂ）に示すように、この状態で開放ボタン１４が押されると、開放ボタン１４の当接突起７３によって、ボタン受け部材９２が押され、梃子部材８１が時計回りに回転する。この回転によって、まず、係止部１１１が被係止部５２から外れ、その後、押圧部１１２が被押圧部５３に当接し、押圧部１１２が被押圧部５３を介して開閉蓋１３を押し上げる。これによって、開閉蓋１３を上記所定の閉塞側回動位置を越える位置まで回動させる。蓋ロック・押上部２７は、このように、開放ボタン１４を押下する力を利用して、開閉蓋１３のロック解除を行うと共に、開閉蓋１３を上記所定の閉塞側回動位置を越える位置まで回動させる。また、これによって、開閉蓋１３のロック解除に連動して、開閉蓋１３を開放することができる。
【００４４】
次に図９および図１０を参照して、テープ印刷装置１における開閉蓋１３の開閉動作について説明する。図９は、開閉蓋１３を閉塞する閉塞動作を示した説明図である。図１０は、開閉蓋１３を開放する開放動作を示した説明図である。まず、図９を参照して、閉塞動作について説明する。図９に示すように、ユーザーの手で、完全開放状態の開閉蓋１３を閉塞側に回動（押下げ）していくと、まず、リブ状突起５１に係合レバー６６が係合し（図９（ａ）および（ｂ）参照）、その後、係合レバー６６が回動しつつ、リブ状突起５１の被当接部６２が係合レバー６６上を摺動していく（図９（ｃ）および（ｄ）参照）。そして、開閉蓋１３の回動が進み、開閉蓋１３が上記所定の閉塞側回動位置を越えた位置まで回動すると、リブ状突起５１に対する係合レバー６６の当接方向が、当接位置からヒンジ部５０の軸心を向いた方向より下向きになり、蓋付勢部２６によって、開閉蓋１３が閉塞方向に付勢される（図９（ｅ）および（ｆ）参照）。また、このとき、梃子部材８１の係止部１１１が、被係止部５２を係止する。これによって、開閉蓋１３が閉塞状態でロックされる。これにより、本閉塞動作を終了する。
【００４５】
次に図１０を参照して、開放動作について説明する。本開放動作は、開閉蓋１３が閉塞し且つ開閉蓋１３が閉塞状態でロックした状態（図１０（ａ）および（ｂ）参照）で、ユーザーが開放ボタン１４を押し下げることで行われる。図１０に示すように、ユーザーの手（指）で開放ボタン１４を押し下げていくと、梃子部材８１が時計回りに回転していき、まず、梃子部材８１の係止部１１１が被係止部５２から外れ、開閉蓋１３のロックが解除される（図１０（ｃ）および（ｄ）参照）。その後、開放ボタン１４の押下げが進んで梃子部材８１の回転が進むと、梃子部材８１の押圧部１１２が被押圧部５３に当接し、更には、押圧部１１２が被押圧部５３を介して開閉蓋１３を開放側に押し上げていく。すなわち、蓋付勢部２６の閉塞方向への回動付勢に抗して、開閉蓋１３を開放側に回動させていく。これによって、リブ状突起５１が係合レバー６６上を摺動していく。そして、開放ボタン１４を押し切った（進退動の下端まで押し下げた）時点で、押圧部１１２の押圧によって、開閉蓋１３が上記所定の閉塞側回動位置を越えた位置まで回動され、リブ状突起５１に対する係合レバー６６の当接方向が、当接位置からヒンジ部５０の軸心を向いた方向より上向きになる（図１０（ｅ）および（ｄ）参照）。その結果、蓋付勢部２６によって、開閉蓋１３が開放方向に付勢され、開閉蓋１３を跳ね上げさせる（図１０（ｇ）および（ｈ））。これにより、本開放動作を終了する。
【００４６】
以上、上記実施形態の構成によれば、開閉蓋１３が所定の回動位置を越えて閉塞した状態では、開閉蓋１３が閉塞付勢される（引き込む力が働く）ため、開閉蓋１３上に設けたボタン群１９を操作するときに、開閉蓋１３のガタツキを抑えることができる。
【００４７】
また、開放ボタン１４を押下する力により、開放付勢される位置まで開放（回動）させる構成であるため、ユーザーは、開放ボタン１４を押下するだけで、開閉蓋１３を開放することができる。これによって、指一本で簡単に開閉蓋１３を開放することができる。すなわち、所定の回動位置を越えて開放した状態では、開閉蓋１３が開放付勢され、所定の回動位置を越えて閉塞した状態では、開閉蓋１３が閉塞付勢されるテープ印刷装置１において、簡単に開閉蓋１３を開放することができる。これにより、テープ印刷装置１のユーザビリティを向上させることができる。
【００４８】
また、ロック・押上部２７において、開閉蓋１３を閉塞状態でロックするロック構造を備えたことで、衝撃等によって、開閉蓋１３が開放されてしまうのを防止することができる。
【００４９】
さらに、蓋ロック・押上部２７において、開放ボタン１４を押下する力により、ロック解除を行う構成を有したことで、ユーザーは、開放ボタン１４を押下するだけで、ロック解除と、開閉蓋１３の開放とを行うことができる。よって、開閉蓋１３のロック解除に係る操作の煩わしさを感じさせることない。ゆえに、ユーザビリティを更に向上させることができる。
【００５０】
なお、上記実施形態においては、開閉蓋１３を閉塞状態でロックする蓋ロック部と、開閉蓋１３を所定の閉塞側回動位置まで押し上げる蓋押上部とを、一体の蓋ロック・押上部２７により構成したが、蓋ロック部と蓋押上部とを別々に設ける構成であっても良い。また、蓋ロック部（蓋ロック・押上部２７の蓋ロック構造）を省略する構成であっても良い。
【００５１】
また、上記実施形態においては、蓋押上部として、梃子部材８１を用いたものを採用したが、開放ボタン１４を押下する力を、開閉蓋１３を押し上げる力に変換することができるものであれば、これに限るものではない。
【符号の説明】
【００５２】
１：テープ印刷装置、  １３：開閉蓋、  １４：開放ボタン、  ２０：カートリッジ装着部、  ２６：蓋付勢部、  ２７：蓋ロック・押上部、  ５０：ヒンジ部、  ８１：梃子部材、  ９１：回転軸、  Ｃ：テープカートリッジ。
【図１】
0006346823.tif 000002
【図２】
0006346823.tif 000003
【図３】
0006346823.tif 000004
【図４】
0006346823.tif 000005
【図５】
0006346823.tif 000006
【図６】
0006346823.tif 000007
【図７】
0006346823.tif 000008
【図８】
0006346823.tif 000009
【図９】
0006346823.tif 000010
【図１０】
0006346823.tif 000011